(57)【特許請求の範囲】
【請求項１】
キャビネットと、このキャビネットの前面に開閉自在に構成した収納扉と、前記キャビネット内に設け家庭電気製品を収納する家庭電気製品収納部と、この家庭電気製品収納部の温度を検知する温度検知手段と、この温度検知手段の出力により動作する制御手段とを備え、前記制御手段は、前記収納扉が開時に前記家庭電気製品収納部の温度が異常に変化した場合、前記温度検知手段の出力が一定のレベルを超えると前記収納扉を閉じるよう構成した家庭電気製品収納庫。
【請求項２】
家庭電気製品収納部に設け家庭電気製品へ給電する給電手段と、この給電手段を入り切りする電源制御手段とを備え、制御手段は、前記家庭電気製品収納部の温度が異常に変化した場合、温度検知手段の出力が一定のレベルを超えると前記電源制御手段により、前記給電手段への給電を停止するよう構成した請求項１記載の家庭電気製品収納庫。
【請求項３】
家庭電気製品から発生する蒸気を家庭電気製品収納部の外へ排出する蒸気処理手段を備え、制御手段は、家庭電気製品収納部の温度が上昇し、温度検知手段の出力が一定のレベルを超えると、前記蒸気処理手段の動作を停止するよう構成した請求項１または２記載の家庭電気製品収納庫。
【請求項４】
収納扉には、外力による扉の開閉を禁止するロック手段を備え、温度検知手段の出力が一定のレベルを超えると、収納扉を閉じた後前記ロック手段を動作し収納扉が開かないようにした請求項１〜３のいずれか１項に記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、前面が開口し家庭電気製品を収納する家庭電気製品収納部を設け、この家庭電気製品収納部の天面に家庭電気製品から排出される熱気・蒸気を外部へ排出する排出装置を設け、家庭電気製品から排出される熱気・蒸気を外部へ排出することで、家庭電気製品を収納した状態で使用できるよう構成していた（例えば、特許文献１参照）。
【特許文献１】特公平７−１１４７３５号公報
【発明の開示】
【発明が解決しようとする課題】
【０００３】
しかしながら、このような従来の構成では、キャビネット内に家庭電気製品を収納して使用しているとき、家庭電気製品の異常過熱などの異常があった場合に、そのまま使用を続けると家庭電気製品収納庫が故障するばかりでなく、被害が拡大する可能性があるという問題を有していた。
【０００４】
本発明は上記従来の課題を解決するもので、家庭電気製品収納部内に収納した家庭電気製品に異常が発生した場合に、異常過熱部分を使用者から隔離し、被害の拡大を防止することを目的としている。
【課題を解決するための手段】
【０００５】
本発明は上記目的を達成するために、キャビネットの開口部に開閉自在の収納扉を設け、家庭電気製品収納部の温度を温度検知手段により検知し、この温度検知手段の出力により制御手段を動作させるよう構成し、制御手段は、家庭電気製品収納部の温度が異常に変化した場合、温度検知手段の出力が一定のレベルを超えると収納扉を閉じるよう構成したものである。
【０００６】
これにより、キャビネット内に収納した家庭電気製品に異常過熱など家庭電気製品収納部の温度に異常な温度上昇が発生した場合に収納扉を閉じることで、家庭電気製品収納部への空気の供給を停止するとともに、異常過熱部分を使用者から隔離することができ、被害が拡大するのを防止することができる。
【発明の効果】
【０００７】
本発明の家庭電気製品収納庫は、キャビネット内に収納した家庭電気製品に異常過熱など家庭電気製品収納部の温度に異常な温度上昇が発生した場合に収納扉を閉じることで、家庭電気製品収納部への空気の供給を停止するとともに、異常過熱部分を使用者から隔離することができ、被害が拡大するのを防止することができる。
【発明を実施するための最良の形態】
【０００８】
第１の発明は、キャビネットと、このキャビネットの前面に開閉自在に構成した収納扉と、前記キャビネット内に設け家庭電気製品を収納する家庭電気製品収納部と、この家庭電気製品収納部の温度を検知する温度検知手段と、この温度検知手段の出力により動作する制御手段とを備え、前記制御手段は、前記収納扉が開時に前記家庭電気製品収納部の温度が異常に変化した場合、前記温度検知手段の出力が一定のレベルを超えると前記収納扉
を閉じるよう構成したものであり、キャビネット内に収納した家庭電気製品に異常過熱などが発生した場合、収納扉を閉じることで、家庭電気製品収納部への空気の供給を停止するとともに、異常過熱部分を使用者から隔離することができ、被害が拡大するのを防止することができる。
【０００９】
第２の発明は、上記第１の発明において、家庭電気製品収納部に設け家庭電気製品へ給電する給電手段と、この給電手段を入り切りする電源制御手段とを備え、制御手段は、前記家庭電気製品収納部の温度が異常に変化した場合、温度検知手段の出力が一定のレベルを超えると前記電源制御手段により、前記給電手段への給電を停止するよう構成したものであり、キャビネット内の温度が一定のレベルを超えると給電手段への給電を停止するため、キャビネット内の家庭電気製品へのエネルギー供給を停止することで、家庭電気製品の異常過熱を抑制することができる。
【００１０】
第３の発明は、上記第１または第２の発明において、家庭電気製品から発生する蒸気を家庭電気製品収納部の外へ排出する蒸気処理手段を備え、制御手段は、家庭電気製品収納部の温度が上昇し、温度検知手段の出力が一定のレベルを超えると、前記蒸気処理手段の動作を停止するよう構成したものであり、キャビネット内の温度が一定のレベルを超えると蒸気処理手段の動作を停止するため、家庭電気製品収納部外からの空気の供給を抑えることができ、家庭電気製品の異常過熱を抑制することができる。
【００１１】
第４の発明は、上記第１〜３のいずれか１つの発明において、収納扉には、外力による扉の開閉を禁止するロック手段を備え、温度検知手段の出力が一定のレベルを超えると、収納扉を閉じた後前記ロック手段を動作し収納扉が開かないようにしたものであり、異常過熱部分と使用者の隔離を確実なものとすることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における家庭電気製品収納庫の断面図を示し、図２は、同家庭電気製品収納庫のブロック図を示し、図３は同家庭電気製品収納庫の斜視図を示すものである。
【００１４】
図１に示すように、キャビネット１は、前面に収納扉１３を開閉自在に設け、このキャビネット１の内部に家庭電気製品収納部２を設け、この家庭電気製品収納部２に家庭電気製品８を載置して収納するように構成している。蒸気処理手段１４は、家庭電気製品８から発生する蒸気を家庭電気製品収納部２の外へ排出するもので、キャビネット１の上部に設け、蒸気処理手段１４の下面の蒸気受け部に家庭電気製品収納部２の温度を検知する温度検知手段１２を設けている。温度検知手段１２は家庭電気製品収納部２の温度を検出するもので、制御手段１５は温度検知手段１２の出力により動作するようにしている。
【００１５】
つぎに、図２に示すように、第１の給電手段（給電手段）３および第２の給電手段（給電手段）４はコンセントにより構成し、家庭電気製品８を接続して給電するもので、図３に示すように、家庭電気製品収納部２に設けている。第１の電源制御手段（電源制御手段）１０および第２の電源制御手段（電源制御手段）１１はリレーにより構成し、制御手段１５によりそれぞれ第１の給電手段３および第２の給電手段４を制御するようにしている。扉開閉手段１６は、制御手段１５によりその動作を制御され、収納扉１３を開閉するものである。なお、５は表示手段であり、６は報知手段である。
【００１６】
ここで、制御手段１５は、収納扉１３が開時に家庭電気製品収納部２の温度が異常に変
化した場合、温度検知手段１２の出力が一定のレベルを超えると、扉開閉手段１６を制御して収納扉１３を閉じるよう構成している。
【００１７】
上記構成において動作を説明する。家庭電気製品収納部２には主にキッチンで使用される調理家電、例えば、ジャーポット、炊飯器、コーヒーメーカなどの家庭電気製品８が収納される。これらの家庭電気製品８は第１の給電手段３または第２の給電手段４に接続されたまま置かれることが多い。ジャーポットであれば保温のまま昼夜を問わず、また、使用者の在、不在を問わず、第１の給電手段３または第２の給電手段４に挿入されているのが常であり、炊飯器においても、予約炊飯や保温を考慮しても常時第１の給電手段３または第２の給電手段４に挿入されていることが多い。
【００１８】
さらに、これらの家庭電気製品８は水利用機器であり、これら家庭電気製品８は使用時には蒸気が発生する。そのため、家庭電気製品収納部２の上部に、家庭電気製品から発生した蒸気を庫外に排出する蒸気処理手段１４を設けており、家庭電気製品収納部２内の空気とともに家庭電気製品８から発生した蒸気を吸引し、庫外に排出する。
【００１９】
ここで、これら家庭電気製品８の使用中に何らかの不具合により家庭電気製品収納部２内で異常過熱が発生した場合、発生した熱により家庭電気製品収納部２内の空気は上昇気流が生じる。そこで、家庭電気製品収納部２の上部にある蒸気処理手段１４の蒸気受け部に設けた温度検知手段１２により温度を検知する。
【００２０】
家庭電気製品収納部２の温度が異常に上昇し、温度検知手段１２の出力が一定のレベルを超えると、制御手段１５は扉開閉手段１６を制御して収納扉１３を閉じる。これにより、家庭電気製品収納部２への空気の供給を停止するとともに、異常過熱部分を使用者から隔離することができる。
【００２１】
以上のように、本実施の形態においては、制御手段１５は、収納扉１３が開時に家庭電気製品収納部２の温度が異常に変化した場合、温度検知手段１２の出力が一定のレベルを超えると収納扉１３を閉じるよう構成したので、家庭電気製品収納部２内に収納した家庭電気製品８に異常過熱などが発生した場合、収納扉１３を閉じることで、家庭電気製品収納部２への空気の供給を停止するとともに、異常過熱部分を使用者から隔離することができ、被害が拡大するのを防止することができる。
【００２２】
なお、収納扉１３に、外力による扉の開閉を禁止するロック手段（図示せず）を設けておき、家庭電気製品収納部２内に異常過熱が発生し、温度検知手段１２の出力が一定のレベルを超えたことにより収納扉１３を閉じたとき、収納扉１３をロックする構成とすることにより、使用者の認識不足により、うっかり収納扉１３を開けるということを回避することができ、異常過熱部分と使用者の隔離を確実なものとすることができる。
【００２３】
（実施の形態２）
図２に示す制御手段１５は、家庭電気製品収納部２の温度が異常に変化した場合、温度検知手段１２の出力が一定のレベルを超えると、第１の電源制御手段１０および第２の電源制御手段１１を介して、分電盤７から第１の給電手段３および第２の給電手段４への商用電源の給電を停止するよう構成している。他の構成は上記実施の形態１と同じである。
【００２４】
上記構成において動作を説明する。なお、家庭電気製品収納部２に家庭電気製品８を収納し、家庭電気製品８が正常に動作するときの動作は、上記実施の形態１の動作と同じであるので説明を省略する。
【００２５】
家庭電気製品８の使用中に何らかの不具合により家庭電気製品収納部２内で異常過熱が
発生した場合、発生した熱により家庭電気製品収納部２内の空気は上昇気流が生じる。そこで、家庭電気製品収納部２の上部にある蒸気処理手段１４の蒸気受け部に設けた温度検知手段１２により温度を検知する。
【００２６】
家庭電気製品収納部２の温度が異常に変化した場合、温度検知手段１２の出力が一定のレベルを超えると、第１の電源制御手段１０および第２の電源制御手段１１を介して、分電盤７から第１の給電手段３および第２の給電手段４への商用電源の給電を停止する。これにより、家庭電気製品収納部２内の家庭電気製品８へのエネルギー供給を停止することができる。
【００２７】
以上のように、本実施の形態においては、制御手段１５は、家庭電気製品収納部２の温度が異常に変化した場合、温度検知手段１２の出力が一定のレベルを超えると、第１の電源制御手段１０および第２の電源制御手段１１を介して、分電盤７から第１の給電手段３および第２の給電手段４への商用電源の給電を停止するよう構成したので、家庭電気製品収納部２内の温度が一定のレベルを超えると給電手段への給電を停止するため、家庭電気製品収納部２内の家庭電気製品８へのエネルギー供給を停止することで、家庭電気製品８の異常過熱を抑制することができる。
【００２８】
（実施の形態３）
図２に示す制御手段１５は、家庭電気製品収納部２の温度が上昇し、温度検知手段１２の出力が一定のレベルを超えると、蒸気処理手段１４の動作を停止するよう構成している。他の構成は上記実施の形態１と同じである。
【００２９】
上記構成において動作を説明する。なお、家庭電気製品収納部２に家庭電気製品８を収納し、家庭電気製品８が正常に動作するときの動作は、上記実施の形態１の動作と同じであるので説明を省略する。
【００３０】
家庭電気製品８の使用中に何らかの不具合により家庭電気製品収納部２内で異常過熱が発生した場合、発生した熱により家庭電気製品収納部２内の空気は上昇気流が生じる。そこで、家庭電気製品収納部２の上部にある蒸気処理手段１４の蒸気受け部に設けた温度検知手段１２により温度を検知する。
【００３１】
家庭電気製品収納部２の温度が上昇し、温度検知手段１２の出力が一定のレベルを超えると、蒸気処理手段１４の動作を停止する。これにより、家庭電気製品収納部２内の温度が一定のレベルを超えると蒸気処理手段１４の動作を停止するため、家庭電気製品収納部２外からの空気の供給を抑えることができる。
【００３２】
以上のように、本実施の形態においては、制御手段１５は、家庭電気製品収納部２の温度が上昇し、温度検知手段１２の出力が一定のレベルを超えると、蒸気処理手段１４の動作を停止するよう構成したので、家庭電気製品収納部２内の温度が一定のレベルを超えると蒸気処理手段１４の動作を停止するため、家庭電気製品収納部２外からの空気の供給を抑えることができ、家庭電気製品８の異常過熱を抑制することができる。
【産業上の利用可能性】
【００３３】
以上のように。本発明にかかる家庭電気製品収納庫は、キャビネット内に収納した家庭電気製品に異常過熱など家庭電気製品収納部の温度に異常な温度上昇が発生した場合に、収納扉を閉じることで、家庭電気製品収納部への空気の供給を停止するとともに、異常過熱部分を使用者から隔離することができ、被害が拡大するのを防止することができるので、家庭電気製品を収納した状態で使用できるようにした家庭電気製品収納庫として有用である。
【図面の簡単な説明】
【００３４】
【図１】本発明の実施の形態１における家庭電気製品収納庫の断面図
【図２】同家庭電気製品収納庫のブロック図
【図３】同家庭電気製品収納庫の斜視図
【符号の説明】
【００３５】
１  キャビネット
２  家庭電気製品収納部
８  家庭電気製品
１２  温度検知手段
１３  収納扉
１５  制御手段
【図１】
0005115334.tif 000002
【図２】
0005115334.tif 000003
【図３】
0005115334.tif 000004